(57)【要約】【課題】低コストで容易にデザインの変更をすることができる点灯表示装置を提供することを目的とする。【解決手段】ボーナスランプ３００にはＬＥＤ３０２を保持するための保持部３０１と、フィルム３０３と、例えば光を拡散するためのフレネルレンズが加工されたランプレンズ３０５とを備えている。この保持部３０１はＬＥＤ３０２を所定の配列パターンで保持している。フィルム３０３は、所定の着色、図形・文字・記号から成るその機種に応じたデザインが施され、薄膜状でかつ透光性を有する。遊技機の機種変更に伴うボーナスランプ３００のデザイン変更は、古いデザインのフィルム３０３を、新しい機種に応じたデザインが施されたフィルム３０３に交換することにより行う。【選択図】        図４
2005027873.tif 000002
【特許請求の範囲】
【請求項１】
遊技機が特定の遊技状態であるときに、
遊技機筐体に設けられた光源を点灯若しくは点滅制御して前記特定の遊技状態を報知する遊技機の点灯表示装置において、
前記光源を保持する保持部と、
前記光源を包被して配設され所定のデザインが施された薄膜状の透光性を有するデザイン部と、
前記デザイン部を包被する透光性を有するカバーと
を備えたことを特徴とする遊技機の点灯表示装置。
【請求項２】
前記デザイン部が、所定のデザインで着色されたフィルムから成り、
前記カバーが前記デザイン部を支持する
ことを特徴とする請求項１に記載の遊技機の点灯表示装置。
【請求項３】
前記カバーが、その内側に前記デザイン部をほぼ密着状態で支持する
ことを特徴とする請求項１または２に記載の遊技機の点灯表示装置。
【請求項４】
前記カバーが、複数に分割されたカバー素体から成る
ことを特徴とする請求項１ないし３のいずれかに記載の遊技機の点灯表示装置。
【請求項５】
前記光源が複数個の点光源から成り、
前記保持部は前記各点光源を所定の配列パターンで保持し、
前記光源の光を拡散する拡散板を更に備えたことを特徴とする請求項１ないし４のいずれかに記載の遊技機の点灯表示装置。
【請求項６】
前記カバーが、前記拡散板としての機能を備える
ことを特徴とする請求項５に記載の遊技機の点灯表示装置。
【請求項７】
前記遊技機が、スロットマシンであり、特別遊技への移行時に前記光源を点灯若しくは点滅制御する照明制御手段を備えることを特徴とする請求項１ないし６のいずれかに記載の遊技機の点灯表示装置。
【発明の詳細な説明】
【０００１】
【発明の属する技術分野】
この発明は、遊技機が特定の遊技状態であるときに、光源を点灯若しくは点滅制御して特定の遊技状態を報知する遊技機の点灯表示装置に関する。
【０００２】
【従来の技術】
一般に、遊技機であるスロットマシンでは、例えばビッグボーナスやレギュラーボーナスといったボーナスゲームに突入したときに、遊技者に対してボーナスゲームの突入を報知するための点灯表示装置として、いわゆるボーナスランプが設けられ、ボーナスゲーム突入時に、制御手段によりボーナスランプを点灯或いは点滅制御し、演出効果を高めるようにしている（例えば、特許文献１参照）。
【０００３】
このボーナスランプは、例えば図５及び図６に示すように、スロットマシンの前面扉の上部に取付けられた保持部５０１にウェッジ球やＬＥＤ等の複数の点光源５０２が保持され、光源５０２からの光を拡散するために各光源５０２がフレネルレンズ５０３により覆われ、そのフレネルレンズ５０３を覆うような形で透光性を有するプラスチック製のランプレンズ５０５が取付けられている。
【０００４】
このランプレンズ５０５には、より一層の演出効果をあげるために、スリット状のレンズカットが施されることがある。さらに、ランプレンズ５０５には所定の着色のほか、種々の文字・図形・記号などの機種ごとに異なるデザインが施される。また、ランプレンズ５０５は１ピース構造のものと、図６に示すような複数ピース構造のものがある。
【０００５】
さらに、このようなランプレンズ５０５は、例えば保持部５０１の上部にフック体５０６により着脱自在に取付けられており、違ったデザインのランプレンズ５０５と容易に交換できるようになっている。よって、機種変更に伴ってボーナスランプを交換する場合、少なくともデザインの異なるランプレンズ５０５のみを交換すればよいようになっている。
【０００６】
【特許文献１】
特開２００３−３８７０８号公報（［００４５］及び図１参照）
【０００７】
【発明が解決しようとする課題】
しかし、従来のボーナスランプの場合、ランプレンズ５０５自体に所定の着色や文字・図形等によるデザインを施しているため、ボーナスランプのデザイン変更を行うにはランプレンズ５０５全体を取り換える必要がある。このとき、各機種毎にデザインの異なるランプレンズ５０５を準備しなければならないため、デザイン変更に伴うコストが非常に高くなるという問題点があった。尚、このような問題はスロットマシン以外の遊技機にも共通である。
【０００８】
そこで、本発明は、低コストで容易にデザインの変更をすることができる点灯表示装置を提供することを目的とする。
【０００９】
【課題を解決するための手段】
上記した目的を達成するために、本発明は、遊技機が特定の遊技状態であるときに、遊技機筐体に設けられた光源を点灯若しくは点滅制御して前記特定の遊技状態を報知する遊技機の点灯表示装置において、前記光源を保持する保持部と、前記光源を包被して配設され所定のデザインが施された薄膜状の透光性を有するデザイン部と、前記デザイン部を包被する透光性を有するカバーとを備えたことを特徴としている。
【００１０】
このような構成によれば、遊技機の機種変更等に伴って点灯表示装置のデザイン変更をする場合、古いデザイン部を、新しい機種に応じたデザインが施されたデザイン部に交換すればよく、カバーまで交換する必要がない。このとき、デザイン部は従来のランプレンズと比較して安価に形成できるため、遊技機の機種変更に伴うデザイン変更が安価で済む。
【００１１】
また、本発明は、前記デザイン部が、所定のデザインで着色されたフィルムから成り、前記カバーが前記デザイン部を支持することを特徴としている。
【００１２】
このような構成によれば、所望の色のフィルムを選択し、これに必要な文字・図形等を施すことで、簡単かつ安価にデザイン部を形成することができる。しかも、このようなデザイン部をカバーにより支持することで、デザイン部を外部から視認し易い状態で支持することができる。
【００１３】
このとき、カバー部がその内側に前記デザイン部をほぼ密着状態で支持する構造がより好ましい。こうすると、カバーを介してこれにほぼ密着したデザイン部のデザインを外部からでも明瞭に視認でき、光源による照明光と相俟って遊技の演出効果をより高めることができる。
【００１４】
また、カバー部が、複数に分割されたカバー素体から構成されていてもよい。このような構造にすることによって、所定のデザインが施されたデザイン部の１部分を透明なカバーで包被し、他部分を半透明なカバーで包被することが可能になり、カバーとデザイン部との相乗効果による高い演出効果を期待できる。
【００１５】
また、本発明は、前記光源が複数個の点光源から成り、前記保持部は前記各点光源を所定の配列パターンで保持し、前記光源の光を拡散する拡散板を更に備えたことを特徴としている。このような構成によれば、複数の点光源からの光を拡散板で拡散することにより、カバー全体を均一に明るくすることができる。
【００１６】
このとき、例えばカバーにレンズカットを施すことにより、カバーが拡散板としての機能を備えるようにしてもよい。このような構成にすることによって、拡散板の部品数を減らすことができるので、いっそうのコスト低減を図ることができる。
【００１７】
また、本発明は、前記遊技機が、スロットマシンであり、特別遊技への移行時に前記光源を点灯若しくは点滅制御する照明制御手段を備えることを特徴としている。
【００１８】
このような構成によれば、例えば、通常時では光源の点滅のテンポを遅くして光源の光量も低く押え、特別遊技移行時には光源の点滅のテンポを速くして光源の光量を高くする制御によって、遊技者に対して特別遊技への移行を確実に報知して、特別遊技に対する興趣をいっそう盛り上げることができる。
【００１９】
【発明の実施の形態】
この発明に係る一実施形態について図１ないし図４を参照して説明する。但し、図１はスロットマシンの正面図、図２は図１のスロットマシンの電気的構成を示すブロック図、図３は図１のスロットマシンのボーナスランプ部の切断右側面図、図４は図１のスロットマシンのボーナスランプ部の分解斜視図である。
【００２０】
本実施形態におけるスロットマシン１では、図１に示すように、筐体３の前面が前面パネル５により開閉自在に閉塞され、この前面パネル５のほぼ中央の高さの位置に操作板７が配設されるとともに、この操作板７の上方に正面板９が配設されている。
【００２１】
そして、この正面板９には３個の主リール窓１１が並設され、各リール窓１１の内側には左、中、右の各リールが配置され、各主リール窓１１からは、各主リールの図柄が各々３個ずつ見えるように設定されている。また、右端の主リール窓１１の横には、ゲームの演出用図柄を表示する補助リール窓１３が配設され、その補助リール窓１３の内側には補助リール（図示省略）が配置されている。
【００２２】
また、この操作板７には、クレジットされているメダルから投入を行うクレジットメダルボタン１５、各リールの回転を開始させるためのスタートレバー１７、第１ないし第３ストップボタン１９，２１，２３、および、メダル投入口２５や払出しボタン２７が設けられている。また、正面板９には入賞ライン中の有効ラインを表示する有効表示ランプ３１、ボーナスゲームの状態などを表示する種々の演出用ランプ３３、クレジットメダルの枚数を表示するメダル枚数表示器３５が配設され、操作板７の下方にはメダル払出口３７やメダル受け３９が設けられている。さらに、前面扉５の正面板９の上部には、ボーナスゲーム時に点灯制御される点灯表示装置としてのボーナスランプ３００が配設されている。
【００２３】
以下にボーナスランプ３００の構成について図３、図４を参照しつつ説明する。ボーナスランプ３００は前面扉上部に設けられており、ボーナスランプ３００にはＬＥＤ３０２を保持するための保持部３０１と、フィルム３０３と、例えば光を拡散するためのフレネルレンズが加工されたランプレンズ３０５とを備えている。この保持部３０１はＬＥＤ３０２を所定の配列パターン（例えば、ＬＥＤ４個を１グループとして１６グループのＬＥＤ）で保持している。フィルム３０３は、所定の着色、図形・文字・記号から成るその機種に応じたデザインが施され、薄膜状でかつ透光性を有する。ランプレンズ３０５はフィルム３０３を包被し、透光性を有するプラスチックにより形成されている。ここで、フィルム３０３が本発明の「デザイン部」に相当し、ＬＥＤ３０２が本発明の「点光源」に相当する。
【００２４】
ところで、フィルム３０３は、その一端部がランプレンズ３０５の上側縁部と保持部３０１との接触部の間に挟み込まれることによって、ランプレンズ３０５にほぼ密着した状態で保持されている。そして、フィルム３０３は上記したように当該機能に応じた着色、文字・図形等、所定のデザインが施され、このフィルム３０３が透光性のランプレンズ３０５に密着して配設されることにより、外部からでも明瞭にフィルム３０３に施されたデザインを視認することができるようになっている。また、ランプレンズ３０５の上端に設けられた複数のフック体３０６が保持部３０１の上端に形成された係止孔３０７に係止することで、ランプレンズ３０５が保持部３０１に着脱自在に取り付けられている。ここで、ランプレンズ３０５が本発明における「カバー」に相当する。
【００２５】
次にスロットマシン１の電気的構成について図２を参照しつつ説明する。このスロットマシン１は、主リールモータの駆動制御などを行うマイクロコンピュータを内蔵する。このマイクロコンピュータを用いた制御機構は図２に示すように、各種センサーやスイッチからの信号が入力されて主リールモータなどを制御する主制御手段２００や、ゲームの状態に合わせて音響装置１９７、各主リールを内側から照明するリール光源４３およびボーナスランプ３００などによる演出を行う補助制御手段２７０などをマイクロコンピュータにより構成している。
【００２６】
この主制御手段２００は、入賞制御手段２１０、リール停止制御手段２２０、主遊技制御手段２３０および動作制御手段２４０を有する。また、この主制御手段２００に信号を入力するセンサーなどとして、メダル投入口２５に設けられてメダルの枚数を検出するメダルセンサー１６１、クレジットメダルボタン１５に組込まれ、クレジットメダルから所要枚数の投入メダルを使用する際のクレジットメダルボタン１５の操作を検出するメダルボタンセンサー１６３、スタートレバー１７に組み込まれてスタートレバー１７が操作されたことを検出するスタートスイッチ１６５、第１ストップボタン１９や第２ストップボタン２１および第３ストップボタン２３に各々組み込まれ、各ストップボタンが操作されたことを検出する第１ストップスイッチ１７１、第２ストップスイッチ１７２、第３ストップスイッチ１７３、更に、クレジットメダルを払い出す払出しボタン２７に組み込まれる払出しスイッチ１６７などがある。
【００２７】
そして、主制御手段２００により駆動制御される装置などとしては、３個の主リールを各々回転させる第１リールモータ１８１ないし第３リールモータ１８３、クレジットメダルの枚数を表示するメダル枚数表示器３５、クレジットメダルなどを払い出すホッパー装置１９９、投入枚数に応じた有効ラインを表示する有効表示ランプ３１、ゲームの進行状態を表示する演出表示ランプ３３、そして補助制御手段２７０がある。
【００２８】
尚、補助制御手段２７０は、ゲームの進行状態に合わせてリール光源４３やボーナスランプ３００を制御する照明制御手段２７３を有する。また、補助リール（図示省略）を回転駆動する補助リールモータ１９５を駆動制御する補助リール制御手段１９１を制御するとともに、音響制御手段２７１を有し、音響装置１９７を制御している。
【００２９】
次に、上記のように構成されたスロットマシン１の全体的動作について説明する。本実施形態のスロットマシン１では、メダルセンサー１６１またはメダルボタンセンター１６３によりメダルの投入を検出すると、投入枚数に応じた有効表示ランプ３１を点灯させ、また、メダル投入口２５から４枚以上のメダルが投入されると４枚目以降のメダルをクレジットメダルとして既にクレジットされている枚数に加算した数値をメダル枚数表示器３５に表示する。
【００３０】
そして、スタートレバー１７が操作されたことをスタートスイッチ１６５で検出すると、入賞制御手段２１０のリール駆動制御手段により第１主リールモータ１８１ないし第３主リールモータ１８３の全ての主リールモータの回転を開始させ、リール停止制御手段２２０では主リール窓１１に表示される各主リールの図柄を各主リールの回転角に合わせて判別することを開始し、一般遊技中であれば、主遊技制御手段２３０に制御されて抽選を行い、入賞判定テーブル（図示省略）に基づいた入賞図柄などの停止予定図柄を記憶する。
【００３１】
また、第１ストップボタン１９が操作されたことを第１ストップスイッチ１７１により検出すると第１主リールモータ１８１を停止させ、第２ストップボタン２１が操作されたことを第２ストップスイッチ１７２により検出すると第２主リールモータ１８２を停止させ、第３ストップボタン２３が操作されたことを第３ストップスイッチ１７３により検出すると第３主リールモータ１８３を停止させることにより、３個の主リールの回転を停止させる。
【００３２】
この各ストップボタンに対応した各主リールの回転を停止させるに際し、動作制御手段２４０は、リール停止制御手段２２０により停止させる主リールの主リール窓１１に表示されている図柄を判別しつつ、入賞判定テーブルに記憶されている停止予定図柄を参照して停止位置指定テーブル（図示省略）により定めた図柄を停止させるようにして第１主リールモータ１８１ないし第３主リールモータ１８３の回転を停止させる。
【００３３】
そして、全ての主リールが停止したとき、主遊技制御手段２３０で有効ラインに停止した図柄が入賞しているか否かを判定し、入賞しているときは入賞役に合わせたメダルの払出しを行うものである。このメダルの払出しは、払出しメダルの枚数をクレジットに加算する場合や、動作制御手段２４０により所要枚数のメダルをメダル受け３９に排出するようにホッパー装置１９９を駆動することによって行う。
【００３４】
また、有効ラインに停止した図柄がボーナス役の図柄となったとき、主遊技制御手段２３０によりボーナス役の当選が判定されると、１０枚または１５枚などの所要枚数のメダルを払い出すとともに、特別遊技（ボーナスゲーム）として主遊技制御手段２３０の特別遊技制御手段（図示省略）による制御が開始される。この特別遊技制御手段による制御では、一般遊技よりもメダルの払出し確率が高くなるように入賞制御手段２１０が制御される。
【００３５】
さらに、特別遊技（ボーナスゲーム）の場合、補助制御手段２７０の音響制御手段２７１によりリズミカルな音楽やアップテンポの音を音響装置１９７から発音させる。そして、補助リール制御手段１９１は、一般遊技や特別遊技を行っている際、動作制御手段２４０が第１主リールモータ１８１ないし第３主リールモータ１８３の回転を開始させるタイミングに合わせて補助リールモータ１９５の回転を開始させ、第１主リールモータ１８１ないし第３主リールモータ１８３の全ての主リールモータが停止した後に補助リールモータ１９５を停止させる。
【００３６】
また、照明制御手段２７３は、特別遊技中ボーナスランプ３００の光量を高くし、ボーナスランプ３００の点滅のテンポを速く制御し、これによって、遊技者に対して特別遊技（ボーナスゲーム）への突入を報知する。
【００３７】
ところで、このようなスロットマシンにおいて機種変更を行う場合、当然ボーナスランプ３００のデザインも変更する必要がある。本実施形態では、フィルム３０３に所定のデザインが施されていることから、新たな機種用のボーナスランプ３００とするには、新しいデザインが施されたフィルム３０３に交換するだけでよく、従来のようにランプレンズ３０５を交換する必要がない。その結果、ランプレンズ３０５を新たに交換する場合と比較して、非常に低コストでボーナスランプ３００のデザイン変更を行える。
【００３８】
従って、本実施形態によれば、遊技機の機種変更等に伴ってボーナスランプ３００のデザインを変更する場合、古いデザインのフィルム３０３を、新しい機種に応じたデザインが施されたフィルム３０３に交換すればよく、ランプレンズ３０５まで変更する必要がなく、フィルム３０３は従来のランプレンズ３０５と比較して安価に形成できるため、遊技機の機種変更に伴うデザイン変更を安価に行うことができる。さらに、遊技者に、特別遊技への移行を確実に報知して特別遊技に対する興趣をいっそう盛り上げることができる。
【００３９】
なお、本発明は上記した実施形態に限定されるものではなく、その趣旨を逸脱しない限りにおいて上述したもの以外に種々の変更を行うことが可能である。
【００４０】
例えば、上記した実施形態では、ランプレンズ３０５が１つの素体から構成されているが、複数の素体に分割されていてもよい。こうすると、所定のデザインが施されたフィルム３０３の１部分を透明なランプレンズ３０５で包被し、その他の部分を半透明なランプレンズ３０５で包被することが可能になり、ランプレンズ３０５とフィルム３０３との相乗効果による高い演出効果を期待できる。
【００４１】
また、ランプレンズ３０５にレンズカットを施さずに単なるカバーとし、例えばフレネルレンズ加工が施された拡散板を保持部３０１とカバーとの間に配設してもよい。
【００４２】
【発明の効果】
以上のように、請求項１に記載の発明によれば、新しい機種に応じたデザインが施されたデザイン部に交換すればよく、カバーまで交換する必要がなく、デザイン部は従来のランプレンズと比較して安価に形成できるため、遊技機の機種変更に伴うデザイン変更が安価で済む。
【００４３】
また、請求項２に記載の発明によれば、所望の色のフィルムを選択し、これに必要な文字・図形等を施すことで、簡単かつ安価にデザイン部を形成することができる。しかも、このようなデザイン部をカバーにより支持することで、デザイン部を外部から視認し易い状態で支持することができる。
【００４４】
また、請求項３に記載の発明によれば、カバー部がその内側に前記デザイン部をほぼ密着状態で支持する構造とするため、カバーを介してこれにほぼ密着したデザイン部のデザインを外部からでも明瞭に視認でき、光源による照明光と相伴って遊技の演出効果をより高めることができる。
【００４５】
また、請求項４に記載の発明によれば、所定のデザインが施されたデザイン部の１部分を透明なカバーで包被し、他部分を半透明なカバーで包被することが可能になり、カバーとデザイン部との相乗効果による高い演出効果を期待できる。
【００４６】
また、請求項５に記載の発明によれば、複数の点光源からの光を拡散板で拡散することにより、カバー全体を均一に明るくすることができる。
【００４７】
また、請求項６に記載の発明によれば、例えばカバーにレンズカットを施すことにより、カバーが拡散板としての機能を備えるため、拡散板の部品数を減らすことができることになり、いっそうのコスト低減を図ることができる。
【００４８】
また、請求項７に記載の発明によれば、例えば、通常時では光源の点滅のテンポを遅くして光源の光量も低く押え、特別遊技移行時には光源の点滅のテンポを速くして光源の光量を高くする制御によって、遊技者に対して特別遊技への移行を確実に報知して、特別遊技に対する興趣をいっそう盛り上げることができる。
【図面の簡単な説明】
【図１】この発明の一実施形態におけるスロットマシンの正面図である。
【図２】図１のスロットマシンの電気的構成を示すブロック図である。
【図３】図１のスロットマシンのボーナスランプ部の切断右側面図である。
【図４】図１のスロットマシンのボーナスランプ部の分解斜視図である。
【図５】従来技術によるスロットマシンのボーナスランプ部の切断右側面図である。
【図６】従来技術による図１のスロットマシンのボーナスランプ部の分解斜視図である。
【符号の説明】
３０１    保持部
３０２    点光源
３０５    カバー、拡散板
３０３    デザイン部
２７３    照明制御手段
【図１】
2005027873.tif 000003
【図２】
2005027873.tif 000004
【図３】
2005027873.tif 000005
【図４】
2005027873.tif 000006
【図５】
2005027873.tif 000007
【図６】
2005027873.tif 000008